【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
画像処理装置であって、
ホストから印刷指示情報を受信する受信手段と、
受信した前記印刷指示情報を、レンダリング処理可能な中間情報へ変換する第１変換手段と、
前記中間情報をスキャンライン毎のスパン情報に変換する第２変換手段と、
スキャンライン毎のスパン情報に色を付与して、色情報と繰り返し情報とからなるスキャンライン毎のランレングス情報を生成する色塗り手段と、
前記ランレングス情報を展開することによって、タイル順の画素情報を生成する生成手段と、
スキャンライン毎の入力情報を、タイル内のスキャンライン毎の情報に分割してタイル単位の出力情報に並べ替える分割手段と、
タイル単位で前記生成手段が生成したタイル順の画素情報を圧縮処理して圧縮データを生成する圧縮手段と、
タイル単位の前記圧縮データのページ分を保持する記憶手段と、
前記記憶手段に保持されたタイル単位に圧縮された前記圧縮データを用いて印刷処理する印刷手段と
を有し、
前記分割手段は、前記第２変換手段からのスキャンライン毎のスパン情報を前記入力情報とし、タイル内のスキャンライン毎のスパン情報に分割してタイル単位のスパン情報に並べ替えて、前記並べ替えたタイル単位のスパン情報を前記色塗り手段に前記出力情報として出力することを特徴とする画像処理装置。
【請求項２】
前記分割手段は、副走査方向に２タイルラインを記憶する記憶手段を有することを特徴とする請求項１に記載の画像処理装置。
【請求項３】
前記記憶手段は、前記画像処理装置のメインメモリであることを特徴とする請求項２に記載の画像処理装置。
【請求項４】
前記分割手段は、前記出力情報としての前記並べ替えたタイル単位のスパン情報を、スキャンライン毎にシーケンスに前記色塗り手段に出力することを特徴とする請求項１に記載の画像処理装置。
【請求項５】
画像処理装置であって、
ホストから印刷指示情報を受信する受信手段と、
受信した前記印刷指示情報を、レンダリング処理可能な中間情報へ変換する第１変換手段と、
前記中間情報をスキャンライン毎のスパン情報に変換する第２変換手段と、
スキャンライン毎のスパン情報に色を付与して、色情報と繰り返し情報とからなるスキャンライン毎のランレングス情報を生成する色塗り手段と、
前記ランレングス情報を展開することによって、タイル順の画素情報を生成する生成手段と、
スキャンライン毎の入力情報を、タイル内のスキャンライン毎の情報に分割してタイル単位の出力情報に並べ替える分割手段と、
タイル単位で前記前記生成手段が生成したタイル順の画素情報を圧縮処理して圧縮データを生成する圧縮手段と、
タイル単位の前記圧縮データのページ分を保持する記憶手段と、
前記記憶手段に保持されたタイル単位に圧縮された前記圧縮データを用いて印刷処理する印刷手段と
を有し、
前記分割手段は、前記色塗り手段からのスキャンライン毎の色を付与したランレングス情報を前記入力情報とし、タイル内のスキャンライン毎のランレングス情報に分割してタイル単位のランレングス情報に並べ替えて、前記並べ替えたタイル単位の色を付与したランレングス情報を前記生成手段に前記出力情報として出力することを特徴とする画像処理装置。
【請求項６】
前記分割手段は、副走査方向に２タイルラインを記憶する記憶手段を有することを特徴とする請求項５に記載の画像処理装置。
【請求項７】
前記記憶手段は、前記画像処理装置のメインメモリであることを特徴とする請求項６に記載の画像処理装置。
【請求項８】
前記分割手段は、前記出力情報としての前記並べ替えたタイル単位のランレングス情報を、スキャンライン毎にシーケンスに前記生成手段に出力することを特徴とする請求項５に記載の画像処理装置。
【請求項９】
画像処理装置の制御方法であって、
受信手段が、ホストから印刷指示情報を受信する受信工程と、
第１変換手段が、受信した前記印刷指示情報を、レンダリング処理可能な中間情報へ変換する第１変換工程と、
第２変換手段が、前記中間情報をスキャンライン毎のスパン情報に変換する第２変換工程と、
色塗り手段が、スキャンライン毎のスパン情報に色を付与して、色情報と繰り返し情報とからなるスキャンライン毎のランレングス情報を生成する色塗り工程と、
生成手段が、前記ランレングス情報を展開することによって、タイル順の画素情報を生成する生成工程と、
分割手段が、スキャンライン毎の入力情報を、タイル内のスキャンライン毎の情報に分割してタイル単位の出力情報に並べ替える分割工程と、
圧縮手段が、タイル単位で前記生成工程にて生成したタイル順の画素情報を圧縮処理して圧縮データを生成する圧縮工程と、
記憶手段が、タイル単位の前記圧縮データのページ分を記憶部に保持する記憶工程と、
印刷手段が、前記記憶工程により保持されたタイル単位に圧縮された前記圧縮データを用いて印刷処理する印刷工程と
を有し、
前記分割工程では、前記第２変換工程により変換されたスキャンライン毎のスパン情報を前記入力情報とし、タイル内のスキャンライン毎のスパン情報に分割してタイル単位のスパン情報に並べ替えて、前記並べ替えたタイル単位のスパン情報を前記色塗り工程に対して前記出力情報として出力することを特徴とする画像処理装置の制御方法。
【請求項１０】
画像処理装置の制御方法であって、
受信手段が、ホストから印刷指示情報を受信する受信工程と、
第１変換手段が、受信した前記印刷指示情報を、レンダリング処理可能な中間情報へ変換する第１変換工程と、
第２変換手段が、前記中間情報をスキャンライン毎のスパン情報に変換する第２変換工程と、
色塗り手段が、スキャンライン毎のスパン情報に色を付与して、色情報と繰り返し情報とからなるスキャンライン毎のランレングス情報を生成する色塗り工程と、
生成手段が、前記ランレングス情報を展開することによって、タイル順の画素情報を生成する生成工程と、
分割手段が、スキャンライン毎の入力情報を、タイル内のスキャンライン毎の情報に分割してタイル単位の出力情報に並べ替える分割工程と、
記憶手段が、タイル単位で前記生成工程にて生成されたタイル順の画素情報を圧縮処理して圧縮データを生成する圧縮工程と、
記憶手段が、タイル単位の前記圧縮データのページ分を記憶部に保持する記憶工程と、
印刷手段が、前記記憶工程により保持されたタイル単位に圧縮された前記圧縮データを用いて印刷処理する印刷工程と
を有し、
前記分割工程では、前記色塗り工程のよるスキャンライン毎の色を付与したランレングス情報を前記入力情報とし、タイル内のスキャンライン毎のランレングス情報に分割してタイル単位のランレングス情報に並べ替えて、前記並べ替えたタイル単位の色を付与したランレングス情報を前記生成工程に対して前記出力情報として出力することを特徴とする画像処理装置の制御方法。
【請求項１１】
請求項９または１０に記載の画像処理装置の制御方法の各工程をコンピュータに実行させるためのプログラム。
【請求項１２】
請求項１１に記載のプログラムを記憶したコンピュータで読み取り可能な記憶媒体。
【手続補正２】
【補正対象書類名】明細書
【補正対象項目名】００２６
【補正方法】変更
【補正の内容】
【００２６】
この課題を解決するために、本発明の画像処理装置は、画像処理装置であって、ホストから印刷指示情報を受信する受信手段と、受信した前記印刷指示情報を、レンダリング処理可能な中間情報へ変換する第１変換手段と、前記中間情報をスキャンライン毎のスパン情報に変換する第２変換手段と、スキャンライン毎のスパン情報に色を付与して、色情報と繰り返し情報とからなるスキャンライン毎のランレングス情報を生成する色塗り手段と、前記ランレングス情報を展開することによって、タイル順の画素情報を生成する生成手段と、スキャンライン毎の入力情報を、タイル内のスキャンライン毎の情報に分割してタイル単位の出力情報に並べ替える分割手段と、タイル単位で前記生成手段が生成したタイル順の画素情報を圧縮処理して圧縮データを生成する圧縮手段と、タイル単位の前記圧縮データのページ分を保持する記憶手段と、前記記憶手段に保持されたタイル単位に圧縮された前記圧縮データを用いて印刷処理する印刷手段とを有し、前記分割手段は、前記第２変換手段からのスキャンライン毎のスパン情報を前記入力情報とし、タイル内のスキャンライン毎のスパン情報に分割してタイル単位のスパン情報に並べ替えて、前記並べ替えたタイル単位のスパン情報を前記色塗り手段に前記出力情報として出力することを特徴とする。
【手続補正３】
【補正対象書類名】明細書
【補正対象項目名】００２８
【補正方法】変更
【補正の内容】
【００２８】
また、本発明の画像処理装置は、画像処理装置であって、ホストから印刷指示情報を受信する受信手段と、受信した前記印刷指示情報を、レンダリング処理可能な中間情報へ変換する第１変換手段と、前記中間情報をスキャンライン毎のスパン情報に変換する第２変換手段と、スキャンライン毎のスパン情報に色を付与して、色情報と繰り返し情報とからなるスキャンライン毎のランレングス情報を生成する色塗り手段と、前記ランレングス情報を展開することによって、タイル順の画素情報を生成する生成手段と、スキャンライン毎の入力情報を、タイル内のスキャンライン毎の情報に分割してタイル単位の出力情報に並べ替える分割手段と、タイル単位で前記前記生成手段が生成したタイル順の画素情報を圧縮処理して圧縮データを生成する圧縮手段と、タイル単位の前記圧縮データのページ分を保持する記憶手段と、前記記憶手段に保持されたタイル単位に圧縮された前記圧縮データを用いて印刷処理する印刷手段とを有し、前記分割手段は、前記色塗り手段からのスキャンライン毎の色を付与したランレングス情報を前記入力情報とし、タイル内のスキャンライン毎のランレングス情報に分割してタイル単位のランレングス情報に並べ替えて、前記並べ替えたタイル単位の色を付与したランレングス情報を前記生成手段に前記出力情報として出力することを特徴とする。
【手続補正４】
【補正対象書類名】明細書
【補正対象項目名】００３０
【補正方法】削除
【補正の内容】
【手続補正５】
【補正対象書類名】明細書
【補正対象項目名】００３１
【補正方法】変更
【補正の内容】
【００３１】
また、本発明の画像処理装置の制御方法は、画像処理装置の制御方法であって、受信手段が、ホストから印刷指示情報を受信する受信工程と、第１変換手段が、受信した前記印刷指示情報を、レンダリング処理可能な中間情報へ変換する第１変換工程と、第２変換手段が、前記中間情報をスキャンライン毎のスパン情報に変換する第２変換工程と、色塗り手段が、スキャンライン毎のスパン情報に色を付与して、色情報と繰り返し情報とからなるスキャンライン毎のランレングス情報を生成する色塗り工程と、生成手段が、前記ランレングス情報を展開することによって、タイル順の画素情報を生成する生成工程と、分割手段が、スキャンライン毎の入力情報を、タイル内のスキャンライン毎の情報に分割してタイル単位の出力情報に並べ替える分割工程と、圧縮手段が、タイル単位で前記生成工程にて生成したタイル順の画素情報を圧縮処理して圧縮データを生成する圧縮工程と、記憶手段が、タイル単位の前記圧縮データのページ分を記憶部に保持する記憶工程と、印刷手段が、前記記憶工程により保持されたタイル単位に圧縮された前記圧縮データを用いて印刷処理する印刷工程とを有し、前記分割工程では、前記第２変換工程により変換されたスキャンライン毎のスパン情報を前記入力情報とし、タイル内のスキャンライン毎のスパン情報に分割してタイル単位のスパン情報に並べ替えて、前記並べ替えたタイル単位のスパン情報を前記色塗り工程に対して前記出力情報として出力することを特徴とする。
【手続補正６】
【補正対象書類名】明細書
【補正対象項目名】００３２
【補正方法】変更
【補正の内容】
【００３２】
また、本発明の画像処理装置の制御方法は、画像処理装置の制御方法であって、受信手段が、ホストから印刷指示情報を受信する受信工程と、第１変換手段が、受信した前記印刷指示情報を、レンダリング処理可能な中間情報へ変換する第１変換工程と、第２変換手段が、前記中間情報をスキャンライン毎のスパン情報に変換する第２変換工程と、色塗り手段が、スキャンライン毎のスパン情報に色を付与して、色情報と繰り返し情報とからなるスキャンライン毎のランレングス情報を生成する色塗り工程と、生成手段が、前記ランレングス情報を展開することによって、タイル順の画素情報を生成する生成工程と、分割手段が、スキャンライン毎の入力情報を、タイル内のスキャンライン毎の情報に分割してタイル単位の出力情報に並べ替える分割工程と、記憶手段が、タイル単位で前記生成工程にて生成されたタイル順の画素情報を圧縮処理して圧縮データを生成する圧縮工程と、記憶手段が、タイル単位の前記圧縮データのページ分を記憶部に保持する記憶工程と、印刷手段が、前記記憶工程により保持されたタイル単位に圧縮された前記圧縮データを用いて印刷処理する印刷工程とを有し、前記分割工程では、前記色塗り工程のよるスキャンライン毎の色を付与したランレングス情報を前記入力情報とし、タイル内のスキャンライン毎のランレングス情報に分割してタイル単位のランレングス情報に並べ替えて、前記並べ替えたタイル単位の色を付与したランレングス情報を前記生成工程に対して前記出力情報として出力することを特徴とする。